【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
複数のユーザが乗り合わせる所定区間を運行する搭乗物であって、前記所定区間の出発位置における予定出発時刻および到着位置への予定到着時刻が定められた搭乗物に関する利用ポイントのポイント付与開始時刻とポイント付与終了時刻とを取得するポイント付与情報取得部と、
前記搭乗物のユーザについて取得した前記ポイント付与開始時刻と前記ポイント付与終了時刻との時間差に基づいて第一利用ポイントを算出するポイント算出部と、
を備え、
前記ポイント付与開始時刻は、前記ユーザの搭乗物への搭乗時刻であり、
前記ポイント付与終了時刻は、前記ユーザの搭乗物からの下乗時刻である
ポイント算出装置。
【請求項２】
複数のユーザが乗り合わせる所定区間を運行する搭乗物であって、前記所定区間の出発位置における予定出発時刻および到着位置への予定到着時刻が定められた搭乗物に関する利用ポイントのポイント付与開始時刻とポイント付与終了時刻とを取得するポイント付与情報取得部と、
前記搭乗物のユーザについて取得した前記ポイント付与開始時刻と前記ポイント付与終了時刻との時間差に基づいて第一利用ポイントを算出するポイント算出部と、
を備え、
前記ポイント付与開始時刻は、前記搭乗物の出発時刻であり、
前記ポイント付与終了時刻は、前記搭乗物の到着時刻である
ポイント算出装置。
【請求項３】
複数のユーザが乗り合わせる所定区間を運行する搭乗物であって、前記所定区間の出発位置における予定出発時刻および到着位置への予定到着時刻が定められた搭乗物に関する利用ポイントのポイント付与開始時刻とポイント付与終了時刻とを取得するポイント付与情報取得部と、
前記搭乗物のユーザについて取得した前記ポイント付与開始時刻と前記ポイント付与終了時刻との時間差に基づいて第一利用ポイントを算出するポイント算出部と、
を備え、
前記ポイント付与開始時刻は、前記搭乗物の予定出発時刻であり、
前記ポイント付与終了時刻は、前記搭乗物の予定到着時刻である
ポイント算出装置。
【請求項４】
前記ポイント算出部は、前記搭乗物への搭乗時刻と前記搭乗物の出発時刻との差に基づいて算出した第二利用ポイントを前記第一利用ポイントに加算する
請求項１から請求項３の何れか１項に記載のポイント算出装置。
【請求項５】
前記ポイント算出部は、前記搭乗物からの下乗時刻と前記搭乗物の到着時刻との差に基づいて算出した第二利用ポイントを前記第一利用ポイントに加算する
請求項１から請求項４の何れか１項に記載のポイント算出装置。
【請求項６】
前記ポイント算出部は、前記搭乗物の予定到着時刻と前記搭乗物の到着時刻との差に基づいて算出した第二利用ポイントを前記第一利用ポイントに加算する
請求項１から請求項５の何れか１項に記載のポイント算出装置。
【請求項７】
前記ポイント算出部は、前記搭乗物の予定出発時刻と前記搭乗物の出発時刻との差に基づいて算出した第二利用ポイントを前記第一利用ポイントに加算する
請求項１から請求項６の何れか１項に記載のポイント算出装置。
【請求項８】
前記ポイント算出部は、前記ポイント付与開始時刻と前記ポイント付与終了時刻との時間差に基づいて算出した第一利用ポイントに代えて、所定の搭乗区間について定められた利用ポイントに、前記算出した第二利用ポイントを加算する
請求項４から請求項７の何れか１項に記載のポイント算出装置。
【請求項９】
前記ポイント算出部は、所定期間にわたる前記搭乗物の各利用時における前記ポイント付与開始時刻と前記ポイント付与終了時刻との時間差の合計に基づいて利用ポイントを算出する
請求項１から請求項８の何れか１項に記載のポイント算出装置。
【請求項１０】
前記ポイント算出部は、前記搭乗物への搭乗を記録するために前記ユーザが利用する当該ユーザの識別情報が記録されたカードのグレードと、前記搭乗物における前記ユーザが利用する客室の等級と、前記搭乗物への前記ユーザの搭乗回数と、前記搭乗物へ前記ユーザが搭乗する際に当該ユーザと共に搭乗するユーザとして予め登録されたユーザの人数と、前記ユーザが前記搭乗物へ搭乗した区間における前記搭乗物の混雑度と、前記ユーザが下乗予定場所で前記搭乗物から下乗できなかったこと、
のうち少なくとも１つに基づいて算出した第二利用ポイントを前記第一利用ポイントに加算する
請求項１から請求項９の何れか１項に記載のポイント算出装置。
【請求項１１】
前記ポイント算出部は、前記搭乗物が運行しなかった場合、前記搭乗物が運行しなかったことに対するポイントを算出する
請求項１から請求項１０の何れか１項に記載のポイント算出装置。
【請求項１２】
前記搭乗物に搭載された振動センサの検出情報又は気象情報を取得し、前記取得した情報に基づいて前記搭乗物の揺れを判定する揺れ判定部を更に備え、
前記ポイント算出部は、前記揺れ判定部が前記搭乗物が揺れた状態にあると判定した時間に応じて算出した利用ポイントをさらに加算する
請求項１から請求項１１の何れか１項に記載のポイント算出装置。
【請求項１３】
前記ポイント算出部が算出した前記第一利用ポイントを出力する出力部、
をさらに備え、
前記出力部は、前記ポイント算出部が前記第二利用ポイントを算出した場合、前記第一利用ポイントに加え前記第二利用ポイントを、前記第一利用ポイントと区別して出力する
請求項１から請求項１２の何れか１項に記載のポイント算出装置。
【請求項１４】
ポイント算出装置が、
複数のユーザが乗り合わせる所定区間を運行する搭乗物であって、前記所定区間の出発位置における予定出発時刻および到着位置への予定到着時刻が定められた搭乗物に関する利用ポイントのポイント付与開始時刻とポイント付与終了時刻とを取得し、
前記搭乗物のユーザについて取得した前記ポイント付与開始時刻と前記ポイント付与終了時刻との時間差に基づいて第一利用ポイントを算出するポイント算出方法であって、
前記ポイント付与開始時刻は、前記搭乗物の予定出発時刻であり、
前記ポイント付与終了時刻は、前記搭乗物の予定到着時刻である
ポイント算出方法。
【請求項１５】
ポイント算出装置のコンピュータを、
複数のユーザが乗り合わせる所定区間を運行する搭乗物であって、前記所定区間の出発位置における予定出発時刻および到着位置への予定到着時刻が定められた搭乗物に関する利用ポイントのポイント付与開始時刻とポイント付与終了時刻とを取得する手段、
前記搭乗物のユーザについて取得した前記ポイント付与開始時刻と前記ポイント付与終了時刻との時間差に基づいて第一利用ポイントを算出する手段、
として機能させるためのプログラムであって、
前記ポイント付与開始時刻は、前記搭乗物の予定出発時刻であり、
前記ポイント付与終了時刻は、前記搭乗物の予定到着時刻である
プログラム。
【手続補正２】
【補正対象書類名】明細書
【補正対象項目名】発明の名称
【補正方法】変更
【補正の内容】
【発明の名称】ポイント算出装置、ポイント算出方法及びプログラム
【手続補正３】
【補正対象書類名】明細書
【補正対象項目名】０００１
【補正方法】変更
【補正の内容】
【０００１】
本発明は、ポイント算出装置、ポイント算出方法及びプログラムに関する。
【手続補正４】
【補正対象書類名】明細書
【補正対象項目名】０００５
【補正方法】変更
【補正の内容】
【０００５】
そこでこの発明は、上述の課題を解決することのできるポイント算出装置、ポイント算出方法及びプログラムを提供することを目的としている。
【手続補正５】
【補正対象書類名】明細書
【補正対象項目名】０００６
【補正方法】変更
【補正の内容】
【０００６】
本発明の第１の態様は、複数のユーザが乗り合わせる所定区間を運行する搭乗物であって、前記所定区間の出発位置における予定出発時刻および到着位置への予定到着時刻が定められた搭乗物に関する利用ポイントのポイント付与開始時刻とポイント付与終了時刻とを取得するポイント付与情報取得部と、前記搭乗物のユーザについて取得した前記ポイント付与開始時刻と前記ポイント付与終了時刻との時間差に基づいて第一利用ポイントを算出するポイント算出部と、を備え、前記ポイント付与開始時刻は、前記ユーザの搭乗物への搭乗時刻であり、前記ポイント付与終了時刻は、前記ユーザの搭乗物からの下乗時刻であるポイント算出装置である。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明の第２の態様における前記ポイント付与開始時刻は、前記搭乗物の出発時刻であり、前記ポイント付与終了時刻は、前記搭乗物の到着時刻である。
【手続補正８】
【補正対象書類名】明細書
【補正対象項目名】０００９
【補正方法】変更
【補正の内容】
【０００９】
本発明の第３の態様における前記ポイント付与開始時刻は、前記搭乗物の予定出発時刻であり、前記ポイント付与終了時刻は、前記搭乗物の予定到着時刻である。
【手続補正９】
【補正対象書類名】明細書
【補正対象項目名】００１０
【補正方法】変更
【補正の内容】
【００１０】
本発明の第４の態様における前記ポイント算出部は、前記搭乗物への搭乗時刻と前記搭乗物の出発時刻との差に基づいて算出した第二利用ポイントを前記第一利用ポイントに加算する。
【手続補正１０】
【補正対象書類名】明細書
【補正対象項目名】００１１
【補正方法】変更
【補正の内容】
【００１１】
本発明の第５の態様における前記ポイント算出部は、前記搭乗物からの下乗時刻と前記搭乗物の到着時刻との差に基づいて算出した第二利用ポイントを前記第一利用ポイントに加算する。
【手続補正１１】
【補正対象書類名】明細書
【補正対象項目名】００１２
【補正方法】変更
【補正の内容】
【００１２】
本発明の第６の態様における前記ポイント算出部は、前記搭乗物の予定到着時刻と前記搭乗物の到着時刻との差に基づいて算出した第二利用ポイントを前記第一利用ポイントに加算する。
【手続補正１２】
【補正対象書類名】明細書
【補正対象項目名】００１３
【補正方法】変更
【補正の内容】
【００１３】
本発明の第７の態様における前記ポイント算出部は、前記搭乗物の予定出発時刻と前記搭乗物の出発時刻との差に基づいて算出した第二利用ポイントを前記第一利用ポイントに加算する。
【手続補正１３】
【補正対象書類名】明細書
【補正対象項目名】００１４
【補正方法】変更
【補正の内容】
【００１４】
本発明の第８の態様における前記ポイント算出部は、前記ポイント付与開始時刻と前記ポイント付与終了時刻との時間差に基づいて算出した第一利用ポイントに代えて、所定の搭乗区間について定められた付与ポイントに、前記算出した第二利用ポイントを加算する。
【手続補正１４】
【補正対象書類名】明細書
【補正対象項目名】００１５
【補正方法】変更
【補正の内容】
【００１５】
本発明の第９の態様における前記ポイント算出部は、所定期間にわたる前記搭乗物の各利用時における前記ポイント付与開始時刻と前記ポイント付与終了時刻との時間差の合計に基づいてポイントを算出する。
【手続補正１５】
【補正対象書類名】明細書
【補正対象項目名】００１６
【補正方法】変更
【補正の内容】
【００１６】
本発明の第１０の態様における前記ポイント算出部は、前記搭乗物への搭乗を記録するために前記ユーザが利用する当該ユーザの識別情報が記録されたカードのグレードと、前記搭乗物における前記ユーザが利用する客室の等級と、前記搭乗物への前記ユーザの搭乗回数と、前記搭乗物へ前記ユーザが搭乗する際に当該ユーザと共に搭乗するユーザとして予め登録されたユーザの人数と、前記ユーザが前記搭乗物へ搭乗した区間における前記搭乗物の混雑度と、前記ユーザが下乗予定場所で前記搭乗物から下乗できなかったこと、のうち少なくとも１つに基づいて算出した第二利用ポイントを前記第一利用ポイントに加算する。
【手続補正１６】
【補正対象書類名】明細書
【補正対象項目名】００１７
【補正方法】変更
【補正の内容】
【００１７】
本発明の第１１の態様における前記ポイント算出部は、前記搭乗物が運行しなかった場合、前記搭乗物が運行しなかったことに対するポイントを算出する。
【手続補正１７】
【補正対象書類名】明細書
【補正対象項目名】００１８
【補正方法】変更
【補正の内容】
【００１８】
本発明の第１２の態様におけるポイント算出装置は、前記搭乗物に搭載された振動センサの検出情報又は気象情報を取得し、前記取得した情報に基づいて前記搭乗物の揺れを判定する揺れ判定部を更に備え、前記ポイント算出部は、前記揺れ判定部が前記搭乗物が揺れた状態にあると判定した時間に応じて算出した利用ポイントをさらに加算する。
【手続補正１８】
【補正対象書類名】明細書
【補正対象項目名】００１９
【補正方法】変更
【補正の内容】
【００１９】
本発明の第１３の態様におけるポイント算出装置は、前記ポイント算出部が算出した前記第一利用ポイントを出力する出力部、をさらに備え、前記出力部は、前記ポイント算出部が前記第二利用ポイントを算出した場合、前記第一利用ポイントに加え前記第二利用ポイントを、前記第一利用ポイントと区別して出力する。
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】変更
【補正の内容】
【００２１】
本発明の第１４の態様は、ポイント算出装置が、複数のユーザが乗り合わせる所定区間を運行する搭乗物であって、前記所定区間の出発位置における予定出発時刻および到着位置への予定到着時刻が定められた搭乗物に関する利用ポイントのポイント付与開始時刻とポイント付与終了時刻とを取得し、前記搭乗物のユーザについて取得した前記ポイント付与開始時刻と前記ポイント付与終了時刻との時間差に基づいて第一利用ポイントを算出するポイント算出方法であって、前記ポイント付与開始時刻は、前記搭乗物の予定出発時刻であり、前記ポイント付与終了時刻は、前記搭乗物の予定到着時刻であるポイント算出方法である。
【手続補正２１】
【補正対象書類名】明細書
【補正対象項目名】００２２
【補正方法】変更
【補正の内容】
【００２２】
本発明の第１５の態様は、ポイント算出装置のコンピュータを、複数のユーザが乗り合わせる所定区間を運行する搭乗物であって、前記所定区間の出発位置における予定出発時刻および到着位置への予定到着時刻が定められた搭乗物に関する利用ポイントのポイント付与開始時刻とポイント付与終了時刻とを取得する手段、前記搭乗物のユーザについて取得した前記ポイント付与開始時刻と前記ポイント付与終了時刻との時間差に基づいて第一利用ポイントを算出する手段、として機能させるためのプログラムであって、前記ポイント付与開始時刻は、前記搭乗物の予定出発時刻であり、前記ポイント付与終了時刻は、前記搭乗物の予定到着時刻であるプログラム。